(57)【特許請求の範囲】
【請求項１】
ハウジングの軸孔内周と移動軸間の隙間をシールするシール本体と、該シール本体に固定されハウジングの軸孔と移動軸間の透過音を遮断する遮音シールと、を備え、該遮音シールは、移動軸との間に移動軸の偏心を逃がす所定寸法の隙間を有する第１遮音部材を有する、自動車のステアリングシャフトのダストシールに用いられる遮音シール付き密封装置において、
前記遮音シールに、少なくとも前記第１遮音部材の反ダスト側において前記第１遮音部材と軸方向に直列に並べられる薄肉で剛性の低い第２遮音部材を設け、該第２遮音部材の内周を移動軸に摺動自在に接触させたことを特徴とする遮音シール付き密封装置。
【発明の詳細な説明】
【０００１】
【発明の属する技術分野】
本発明は、たとえば自動車のステアリングシャフトのダストシール等の軸偏心や取付偏心が大きい軸封部に用いられる密封装置に関し、特に遮音シールを備えた遮音シール付き密封装置に関する。
【０００２】
【従来の技術】
従来のこの種の遮音シール付き密封装置としては、たとえば図２に示すようなものがある。
【０００３】
すなわち、ハウジング１００の軸孔１０１内周と移動軸１０２間の隙間をシールするシール本体１０３と、このシール本体１０３に固定されハウジング１００の軸孔１０１と移動軸１０２間の透過音を遮断する遮音シール１０４と、を備えている。
【０００４】
遮音シール１０４は、シール本体１０３に嵌合固定される筒状のケーシング部１０５と、このケーシング部１０５内周に組み込まれる遮音部材１０６と、から構成されている。そして、移動軸１０２が偏心した際に遮音部材１０６と干渉しないように、遮音部材１０６内径を移動軸１０２よりも大きくして、移動軸１０２と遮音部材１０６との間に隙間Ａを設けていた。
【０００５】
【発明が解決しようとする課題】
しかしながら上記した従来の密封装置の場合には、移動軸１０２と遮音部材１０６の間に隙間Ａがあるために、遮音が十分ではなかった。
【０００６】
隙間を小さくすればよいが、そうすると、移動軸１０２と干渉して移動軸１０２の回転トルク等の移動抵抗が増大するという問題が生じてしまうので、隙間Ａを小さくすることができない。また、遮音部材１０６の剛性を小さくして移動軸１０２が干渉しても接触抵抗を小さくすることが考えられるが、そうすると遮音効果が低下してしまう。
【０００７】
本発明は上記した従来技術の問題を解決するためになされたもので、その目的とするところは、遮音効果を高め得る遮音シール付き密封装置を提供することにある。
【０００８】
【課題を解決するための手段】
上記目的を達成するために、本発明にあっては、ハウジングの軸孔内周と移動軸間の隙間をシールするシール本体と、該シール本体に固定されハウジングの軸孔と移動軸間の透過音を遮断する遮音シールと、を備え、該遮音シールは、移動軸との間に移動軸の偏心を逃がす所定寸法の隙間を有する第１遮音部材を有する、自動車のステアリングシャフトのダストシールに用いられる遮音シール付き密封装置において、
前記遮音シールに、少なくとも前記第１遮音部材の反ダスト側において前記第１遮音部材と軸方向に直列に並べられる薄肉で剛性の低い第２遮音部材を設け、該第２遮音部材の内周を移動軸に摺動自在に接触させたことを特徴とする。
【０００９】
本発明にあっては、第２遮音部材によってハウジングと移動軸間の隙間が完全に密封され、遮音効果が高まる。この第２遮音部材は薄肉で剛性が低い構成となっているので、移動軸との摺動抵抗は小さい。また、移動軸が偏心しても第２遮音部材がそれに追随して変形し、移動軸の偏心移動を妨げることがない。
【００１０】
一方、第１遮音部材によって吸音性能が維持され、第２遮音部材の密封構成と相挨って遮音効果を高めることができる。
【００１１】
【発明の実施の形態】
以下に本発明を図示の実施の形態に基づいて説明する。
【００１２】
図１は本発明の一実施の形態に係る遮音シール付き密封装置を示している。
【００１３】
この遮音シール付き密封装置１は、ハウジング２の軸孔３内周と移動軸４間の隙間をシールするシール本体５と、このシール本体５に固定されハウジング２の軸孔３と移動軸４間の透過音を遮断する遮音シール６０と、を備えている。
【００１４】
シール本体５はダストシールで、ハウジング２の軸孔３内周に嵌着固定される外周固定部５１と、移動軸４に摺動自在に密封接触する内周側のシールリップ部５２と、このシールリップ部５２と外周固定部５１間を連結する蛇腹部５３と、を備えており、軸偏心を蛇腹部５３の変形によって吸収するようになっている。このシール本体５は、遮音シール６０に対してダスト側Ｄに配置される。
【００１５】
一方、遮音シール６０は、厚肉で剛性の高い第１遮音部材６と、この第１遮音部材６と軸方向に直列に並べられる薄肉で剛性の低い第２遮音部材７とを備えた構成となっている。この遮音シール６０は、シール本体５のシールリップ部５２に対して反ダストＥ側に配置され、本実施の形態では騒音源側となっている。もちろん、透過音を遮断するもので、ダスト側Ｄが騒音側であってもよい。
【００１６】
上記第１，第２遮音部材６，７は、断面コ字形状のケーシング８内に組み込まれ、ケーシング８を介してシール本体５の外周固定部５１の反ダスト側Ｅに形成された環状突出部５４内周に嵌着固定されている。この環状突出部５４は、ハウジング２の軸孔３の開口端面に係合する金属製の固定フランジ５５から軸方向に環状に突出するゴム状弾性材によって構成されている。
【００１７】
ケーシング８は、円筒形状の固定筒部８１と、この固定筒部８１のダスト側端部から半径方向内方に向かって突出する第１内向きフランジ部８２と、固定筒部８１の反ダスト側端部から半径方向内方に向かって突出する第２内向きフランジ部８３と、を備えている。固定筒部８１外周には、そのダスト側端部寄りに半径方向外方に向かって部分的に突出する環状凸部８４が設けられ、この環状凸部８４がシール本体５の環状突出部５４内周に設けられた環状溝に嵌着固定されている。また、固定筒部８１の環状凸部８４よりダスト側Ｄの部分は、シール本体５の外周固定部５１内周に部分的に嵌合している。
【００１８】
このケーシング８は、断面Ｌ字形状の金属環９と、この金属環９に一体的に焼き付けられるゴム状弾性体１０と、から構成されている。金属環９は、円筒状の外筒部９１と、この外筒部９１の反ダスト側端部から半径方向内向きに突出する内向きフランジ部９２と、から構成されており、この外筒部９１のダスト側端部は、ケーシング８の固定筒部８１の環状凸部８４までで、シール本体５の外周固定部５１内周に嵌合する固定筒部８１のダスト側Ｄのケーシング側端部はゴム状弾性体１０単体にて構成されている。
【００１９】
上記第１遮音部材６は厚肉で剛性の高い部材で、外周がケーシング８の固定筒部８１内周に密に嵌合され、軸方向端面が第１，第２内向きフランジ部８２，８３に当接している。一方、内径は移動軸４の外径よりも大径で、第１遮音部材６と移動軸４間に移動軸４の偏心量を逃がすための隙間Ａが形成されている。
【００２０】
この第１遮音部材６は、図示するように、複数のピース６１，６２に分割構成とすることができる。第１遮音部材６の各２ピース６１，６２は断面矩形状で、外周がコ字形状の上記ケーシング８の固定筒部８１内周に嵌合され、第１，第２内向きフランジ部８２，８３によって軸方向に挟持されている。また、図示しないが移動軸４外周に突出部がある場合に、複数のピース６１，６２の内径を異ならせることにより、突出部との干渉を避けることができる。
【００２１】
この第１遮音部材６の材質としては、たとえばブリジストン（株）製のＶＤフォーム等のスポンジ状発泡材等種々の吸音材料を用いることができる。
【００２２】
一方、第２遮音部材７は薄肉で剛性の低い部材で、本実施の形態ではワッシャ状の薄肉板形状に成形されており、第１遮音部材６の２つのピース６１，６２間に軸方向に挟み込まれた状態でケーシング８内に装着されている。図示例では、この第２遮音部材７の外径端はケーシング８の固定筒部８１内周に嵌合されており、その外径側の半部が第１遮音部材６のピース６１，６２間に挟持固定され、内径側の半部が第１遮音部材６のピース６１，６２内周と移動軸４外周間の隙間に露出し、内径端部が移動軸４外周に摺動自在に接触している。
【００２３】
この第２遮音部材７の材質としては、第１遮音部材６と同じ材料を用いてもよいし、ゴム，樹脂ベロー、不織布等のファブリック材等、種々の材料を用いることができる。ただ、この第２遮音部材７は移動軸４外周に摺接させるので、摺動時の鳴き（異音）等を考慮すると非弾性材が好ましい。
【００２４】
本実施の形態にあっては、第２遮音部材７によってハウジング２と移動軸４間の隙間が完全に密封され、移動軸４の摺動抵抗増大を招来することなく、第１遮音部材６による遮音性能と相挨って遮音効果が高まる。この第２遮音部材７は薄肉で剛性が低い構成となっているので、移動軸４が偏心しても第２遮音部材７がそれに追随して変形し、移動軸４の偏心移動を妨げることがない。
【００２５】
一方、第１遮音部材６によって吸音性能が維持され、第２遮音部材７の密封構成と相挨って遮音効果を高めることができる。
［他の実施の形態］
遮音性においては、遮音シールの軸方向の幅が同じ幅とすると、第２遮音部材７の遮音層の数が多い方が効果があるので、第２遮音部材７の設定数はできるだけ多い方が好ましい。
【００２６】
図１（ｃ）には、図１（ｂ）の第１遮音部材６の各ピース６１，６２をさらに２分割して、各分割ピース６１ａ，６１ｂ，６２ａ，６２ｂ間に第２遮音部材７，７を装着して合計３層の第２遮音部材７，７，７を設けたものである。
【００２７】
その他の構成および作用については上記実施の形態と同一なので、同一の構成部分については同一の符号を付してその説明を省略するものとする。
【００２８】
なお、上記第１，第２遮音部材６，７は接着固定してもよい。
【００２９】
【発明の効果】
以上説明したように、本発明によれば、移動軸と非接触の第１遮音部材とは別に移動軸と接触する薄肉で剛性の低い第２遮音部材を設けたので、ハウジングと移動軸間の隙間が完全に密封され、移動軸の摺動抵抗増大を招来することなく、第１遮音部材による遮音性能と相挨って遮音効果を高めることができる。
【００３０】
また、この第２遮音部材は薄肉で剛性が低い構成となっているので、移動軸が偏心しても第２遮音部材がそれに追随して変形し、移動軸の偏心移動を妨げることがない。
【図面の簡単な説明】
【図１】図１は本発明の一実施の形態に係る遮音シール付き密封装置を示すもので、同図（ａ）は全体構成を示す要部縦断面、同図（ｂ）は遮音シール部分の部分断面図、同図（ｃ）は本発明の他の実施の形態の遮音シール部分の部分断面図である。
【図２】図２は従来の遮音シール付き密封装置の要部縦断面図である。
【符号の説明】
１  遮音シール付き密封装置
２  ハウジング
３  軸孔
４  移動軸
５  シール本体
５１  外周固定部
５２  シールリップ部
５３  蛇腹部
５４  環状突出部
５５  固定フランジ
６０  遮音シール
６  第１遮音部材
６１，６２  ピース
７  第２遮音部材
８  ケーシング
８１  固定筒部
８２，８３  第１，第２内向きフランジ部
８４  環状凸部
９  金属環
９１  外筒部
９２  内向きフランジ部
１０  ゴム状弾性体
Ｄダスト側
Ｅ  反ダスト側
【図１】
0003613946.tif 000002
【図２】
0003613946.tif 000003